(57)【要約】【課題】  靴カバーとしての実用性と、携帯として便利な、軽量で小さく縮小出来るコンパクト性を、兼ね添える事。【解決手段】  塩化ビニール等、柔軟性部材の防水性で出来ていて、部分的にも、輪ゴム等の伸縮自在の弾性部材や、マジックテープ（登録商標）等、使用時以外は小さくたたんだり、丸めたりする為に適した部材だけを使用したものである。コンパクトであり、軽量、手軽、使用及び使用後の処理（片付け）が、簡単に出来る携帯靴カバーを、提供する為に以下を考えた。縮小するのに不都合な部材（靴底と接する部分にゴム底等）を設けず、靴底と接する部分には、下部開放口と空洞（２）を設け輪ゴム等を通し安定させる事により、全体的に柔軟性部材を中心に構成出来て、コンパクトになる事を特徴とした。【選択図】  図１
2006340881.tif 000002
【特許請求の範囲】
【請求項１】
柔軟性部材の、防水性であって、下部は、靴の前後左右の側面から、靴カバー本体を靴底に（靴底の縁沿い部分だけを）巻き込んだ状態（靴底中央部分が開放されたまま）から、上部を包み、足首付近までカバー出来る、携帯靴カバーである。
【請求項２】
靴から足首付近を通じ、ズボンの裾を含め脛下までカバー出来る様、足首付近から上部に延長カバーを設けた請求項１の携帯靴カバーである。
【請求項３】
請求項１、請求項２共に、前後左右の側面から、靴底の縁沿い部分へ巻き込んだ状態でカバーを保てる様、円形状（靴に装着すると自動的に靴底にフィットして楕円状になる）の（６）を、靴の甲部分には靴先から安定させる為の（７）と（８）を、足首付近は、固定及び足先から挿入しやすい様、円形状の（５）を、各それぞれ伸縮自在の弾性部材を有し、そのすべてが小さく畳んだり丸めたりする為の部材で構成されているところを特徴とする携帯靴カバーである。
【発明の詳細な説明】
【技術分野】
【０００１】
本発明は、傘が有りながら足元（靴や靴下、ズボンの裾等）が、雨天等で濡れてしまうのを防ぐ為の、手軽で簡単な、携帯靴カバーに関するものである。
【背景技術】
【０００２】
携帯靴カバーは、軽量、手軽、コンパクト、使用及び使用後の処理（片付け）が簡単で、実用性、簡易性が不可欠であり、大雨や急な必要時に、コンビニや駅売店等、何処でも販売されて簡単な物が、理想と考える。しかし、現状は、理想と考えられる製品が見かけられない。
【発明の開示】
【発明が解決しようとする課題】
【０００３】
傘が有るのに足元が濡れてしまう程の雨天時や、水溜りが多い道での歩行、そしてカッパを使用して、バイクや自転車での通勤や通学では、なかなか長靴を履いて行けない現状がある。しかし現状は、使い勝手の良いコンパクトで簡単な携帯靴カバーが無く、傘を使用してもカッパを着用しても、結局、革靴や運動靴のままで、足元（靴や靴下、ズボンの裾までも）が濡れてしまう。夕方、帰宅時に雨が降っていると、カッパを準備していながら靴のままバイクで帰り、足元だけがビショビショに濡れてしまう嫌な現状がある。
【０００４】
本発明は、塩化ビニール等、柔軟性部材の防水性で出来ていて、部分的にも、輪ゴム等の伸縮自在の弾性部材や、マジックテープ（登録商標）等、使用時以外は小さくたたんだり、丸めたりする為に適した部材だけを使用したものである。コンパクトであり、軽量、手軽、使用及び使用後の処理（片付け）が、簡単に出来る携帯靴カバーを、提供する点にある。
【課題を解決するための手段】
【０００５】
上記の課題を解決する本発明の、携帯靴カバーは、柔軟性部材の、防水性であって、下部は、靴の前後左右の側面から、靴カバー本体を靴底に（靴底の縁沿い部分だけを）巻き込んだ状態（靴底中央部分が開放されたまま）から、上部を包み、足首付近までカバー出来る、携帯靴カバーである。
【０００６】
靴から足首付近を通じ、ズボンの裾を含め脛下までカバー出来る様、足首付近から上部に延長カバー（９）を設けた請求項１の携帯靴カバーである。
【０００７】
上記の携帯靴カバー共に、前後左右の側面から、靴底の縁沿い部分へ巻き込んだ状態でカバーを保てる様、円形状（靴に装着すると自動的に靴底にフィットして楕円状になる）の（６）を、靴の甲部分には靴先から安定させる為の（７）と（８）を、足首付近は、固定及び足先から挿入しやすい様、円形状の（５）を、各それぞれ伸縮自在の弾性部材を有し、そのすべてが小さく畳んだり丸めたりする為の部材で構成されているところを特徴とする携帯靴カバーである。
【発明の効果】
【０００８】
本発明の防水携帯靴カバーにより、バイク等で、靴や革靴を履いてのカッパ着用時や、
大雨で傘を使用して、靴や革靴での通勤、通学時等に、装着しての歩行も気にならず、携帯靴カバーとしての目的上、一時的な利用として（手間の掛かる留め具等は無く、塩化ビニール等の柔軟性部材で出来ている為）使用及び使用後の処理が、手間が要らず簡単になる。それに、靴から足首付近までカバーする物と、ズボン等を含め脛下までカバーする物との2種類で、用途により選べる。使用時以外は小さくたたんだり、丸めたりする為に適した部材しか使用しておらず、コンパクト化された携帯靴カバーであり、簡単にバッグの中に常備出来、叉バイク等にも、カッパと一緒に常備しておくと、不意の雨にでも、靴のまま簡単に装着出来て大変便利である。
そして、サイズ、色、デザインと、多種類製品化する事で、子供から学生、大人、好みに合った携帯靴カバーを、必要になれば、何時でも何処でも気軽に買って、誰でも簡単に使用出来、大雨でも足元を気にしなくても良いようになる。
【発明を実施するための最良の形態】
【０００９】
以下、本発明の実施の形態を図面に基づき説明する。
【００１０】
図1は、靴に装着していると想定した左斜視図である。
塩化ビニール（叉はポリエチレン等の柔軟性部材でも良い）で、底部分が開放されたまま、靴から足首付近までを、カバーする形態である。上部開放口と下部開放口には、共に空洞を設け、伸縮自在の弾性部材（輪ゴムなど）を通す。
２は下部開放口の空洞（靴底に該当する部分）であり、その中を通っている伸縮自在の弾性部材（輪ゴムなど）が６である。靴底の縁沿い部分より内側（下部開放口に該当する真ん中寄り全般）は、カバーはされず、ほぼ楕円状に開放されている。すなわち上部から靴底の縁沿い部分に、カバーを巻き込んだ状態である。
３は空洞であり、その中を通る伸縮自在の弾性部材（ゴム紐等）が７である。それを上部（靴の甲にあたる部分）を通じて左右に伸ばし、下部開放口空洞２に通っている（輪ゴムなど）の６に結合させる。
上部開放口に設けた空洞１の前方から、空洞３へ（前後）ほぼ垂直に伸ばした空洞が４である。その中を通る伸縮自在の弾性部材（ゴム紐等）が８である。（ゴム紐等）の８は、上部開放口の（輪ゴムなど）５と、前方で左右に伸びる（ゴム紐等）７に結合する。本発明は、以上の構成からなる携帯靴カバーである。
【００１１】
図2は、脛下付近までの携帯靴カバーである。
携帯靴カバー本体の上部開放口１から上に、脛下付近までカバーする延長カバー９を設ける。延長カバー９の前面を開放口１まで上下に切り開き、使用時に接合させ脛下付近を安定させる為に、切り開いた左右に、マジックテープ（登録商標）等のワンタッチ固定具１０を2箇所（上下に2組）に設ける。
【００１２】
携帯靴カバーのサイズは、S M L LL LLL等、誰でも合ったサイズを使用出来る様、ニーズに応じた多くのサイズを提供するものとする。
【実施例１】
【００１３】
図1、上部開放口１より靴先から前方へ挿入して靴全体をカバーさせると、靴底が開放口２に接して固定された状態になり、７と８が作用して、側面上部と全体に安定される。これで簡単に使用可能状態である。
【実施例２】
【００１４】
図2、脛下付近までの携帯靴カバーであるが、上記同様の使用手順に、本体の上部開放口１より上部に設けている延長カバー９の（上下にカットして）左右に開いている前面を、脛下に閉じてワンタッチ固定具１０で留める。これで簡単に使用可能状態である。
【実施例３】
【００１５】
図３は、別の実施例であり、空洞４を設けない場合である。靴と携帯靴カバーの、前後の余裕を少なくとれば、設けない事でも良い。
【実施例４】
【００１６】
図４は、別の実施例であり、空洞３を斜め左右前後に設けた場合である。空洞３の目的は携帯靴カバーが安定する為の設置であり、方向を変える事も可能である。
【実施例５】
【００１７】
図５は、別の実施例であり、空洞４を設置せずに、開放口１から斜め左右前後に空洞3を設けた場合である。これも携帯靴カバーを安定させる方法として可能である。
【実施例６】
【００１８】
図６は、別の実施例であり、空洞３、空洞４共に設置しない場合である。携帯靴カバー全体が、靴と安定を保てる様に、開放口１、開放口２共の、適正な伸縮性の強度により、可能である。
【実施例７】
【００１９】
図７は、別の実施例であり、開放口１，２及び３，４の、伸縮自在の弾性部材を通す空洞は、一本の延長でなくても、部分的に複数個設けても良い。
【実施例８】
【００２０】
実施例２同様の脛下付近までの携帯靴カバーであるが、図８の様に、本体の上部開放口１より上部に設けている延長カバー９の（上下にカットして）左右に開いてワンタッチ固定具１０を設ける部分は、側面でも良い。
【実施例９】
【００２１】
実施例２同様の脛下付近までの携帯靴カバーであるが、図９の様に、本体の上部開放口１より上部に設けている延長カバー９の（上下にカットして）左右に開いてワンタッチ固定具１０を設ける部分は、後面でも良い。
【実施例１０】
【００２２】
実施例２同様の脛下付近までの携帯靴カバーであるが、図1０の様に、本体の上部開放口１より上部に設けている延長カバー９の（上下にカットして）左右に開く部分を、設けずに、最上部（脛下に最も近く最初に靴先を挿入する部分）に開放口１と同様に輪ゴムなどを設けて固定させても良い。
【産業上の利用可能性】
【００２３】
現在、同様製品が販売されていない為、本発明により、便利な携帯靴カバーとして、広範囲の店舗販売にて、雨天での需要が伸びていくものと考えられる。
【図面の簡単な説明】
【００２４】
【図１】本発明、請求項１の左斜視図である。
【図２】本発明、脛下までの延長カバーを設けた請求項２の左斜視図である。
【図３】本発明、実施例３を示す左斜視図である。
【図４】本発明、実施例４を示す左斜視図である。
【図５】本発明、実施例５を示す左斜視図である。
【図６】本発明、実施例６を示す左斜視図である。
【図７】本発明、実施例７を示す平面図である。
【図８】本発明、実施例８を示す平面図である。
【図９】本発明、実施例９を示す平面図である。
【図１０】本発明、実施例１０を示す左斜視図である。
【符号の説明】
【００２５】
１    上部開放口の空洞
２    下部開放口の空洞
３    左右への空洞
４    前後への空洞
５    上部開放口の空洞１に通した伸縮自在の弾性部材
６    下部開放口の空洞２に通した伸縮自在の弾性部材
７    左右への空洞に通した伸縮自在の弾性部材
８    前後への空洞に通した伸縮自在の弾性部材
９    本体の上部開放口１より上部に設けている延長カバー
１０  ワンタッチ固定具
【図１】
2006340881.tif 000003
【図２】
2006340881.tif 000004
【図３】
2006340881.tif 000005
【図４】
2006340881.tif 000006
【図５】
2006340881.tif 000007
【図６】
2006340881.tif 000008
【図７】
2006340881.tif 000009
【図８】
2006340881.tif 000010
【図９】
2006340881.tif 000011
【図１０】
2006340881.tif 000012